(57)【要約】【課題】センサブロックによって開信号を出力させる位置を、マグネットブロック側の簡易な操作によって設定変更できる防犯用磁気近接センサを提供する。【解決手段】マグネットブロックｍは、第１および第２のマグネット部材Ｍａ、Ｍｂで構成されており、第１のマグネット部材Ｍａは窓に取り付けられ、第２のマグネット部材Ｍｂは、第１のマグネット部材Ｍａの磁極とは異なる磁極を向かい合わせて磁着させることによって、任意の対のマグネット部材の磁界を打ち消して使用されるようにしている。【選択図】図１
2005215718.tif 000002
【特許請求の範囲】
【請求項１】
センサブロックとマグネットブロックとを、引き違い窓の一方と他方に取り付けて、窓の開閉動作時におけるセンサブロックとマグネットブロックの接近または離脱動作に応じて、センサブロックより開、閉信号を出力するようにした、防犯用磁気近接センサおいて、
上記マグネットブロックは、第１および第２のマグネット部材で構成されており、上記第１のマグネット部材は窓に取り付けられ、上記第２のマグネット部材は、上記第１のマグネット部材の磁極とは異なる磁極を向かい合わせて磁着させることによって、任意の対のマグネット部材の磁界を打ち消して使用されるようにしている、防犯用磁気近接センサ。
【請求項２】
センサブロックとマグネットブロックとを、引き違い窓の一方と他方に取り付けて、窓の開閉動作時におけるセンサブロックとマグネットブロックの接近または離脱動作に応じて、センサブロックより開、閉信号を出力するようにした、防犯用磁気近接センサおいて、
上記マグネットブロックは、窓の開閉方向に沿って長い寸法の第１のマグネット部材と、それそれが異なる寸法を有した、複数の第２のマグネット部材とを組み合わせて構成されており、上記第１のマグネット部材は窓に取り付けられ、上記第２のマグネット部材は、任意の寸法のものが、上記第１のマグネット部材の磁極とは異なる磁極を向かい合わせて磁着させることによって、上記第１のマグネット部材による磁界を部分的に打ち消して使用されるようにしている、防犯用磁気近接センサ。
【請求項３】
請求項１または２において、
上記第１のマグネット部材は、複数のマグネット部材で構成され、窓の開閉方向に並べて取り付けられ、
上記第２のマグネット部材は、複数の第１のマグネット部材のうちのいずれかまたは全部に取り付けることが可能である、防犯用磁気近接センサ。
【発明の詳細な説明】
【技術分野】
【０００１】
本発明は、引き違い窓に設置するタイプの防犯用磁気近接センサの改良に関する。
【背景技術】
【０００２】
近年、住宅等の建築物においては、引き違い式（スライド式）の窓に、永久磁石（マグネット）を含んだマグネットブロックと、リードスイッチあるいはホール素子を内蔵させたセンサブロックとを対にして、それぞれを窓の一方側と他方側に取り付けて、窓の開閉動作における両者の接離動作に応じて、センサブロックより開、閉信号を出力させるようにした防犯用磁気近接センサが利用されている。
【０００３】
次の特許文献には、引き違い窓に設置するタイプの防犯用磁気近接センサが記載されている。
【特許文献１】特許第２７５６６１１号公報
【発明の開示】
【発明が解決しようとする課題】
【０００４】
この種の防犯用磁気近接センサは、マグネットのサイズや数、取り付け位置によっては、閉状態から少しでも開ければ開と判断させることや、換気の際などにわずかに開いているだけであれば開とは判断させないことも可能である。つまり、マグネットを付け替えることにより、窓閉状態に幅を持たせることが可能となっている。
【０００５】
ところが、マグネットは窓に対して固定しているため、異なる条件に変更して使用する場合には、磁石を付け替えなければならないが、取り外しにくく、取り付け変更はきわめてしにくい。すなわち、マグネットをいちど取り付けてしまえば、異なる使用目的での使用が困難となってしまう。
【０００６】
本発明は、このような問題を解決すべく提案されたもので、その目的は、センサブロックによって開信号を出力させる位置を、マグネットブロック側の簡易な操作によって設定変更できる防犯用磁気近接センサを提供することにある。
【課題を解決するための手段】
【０００７】
上記目的を達成するために、請求項１に記載の防犯用磁気近接センサは、センサブロックとマグネットブロックとを、引き違い窓の一方と他方に取り付けて、窓の開閉動作時における両者の接離動作に応じて、センサブロックより開、閉信号を出力するようにした、防犯用磁気近接センサおいて、マグネットブロックは、第１および第２のマグネット部材で構成されており、第１のマグネット部材は窓に取り付けられ、第２のマグネット部材は、第１のマグネット部材の磁極とは異なる磁極を向かい合わせて磁着させることによって、任意の対のマグネット部材の磁界を打ち消して使用されるようにしている。
【０００８】
請求項２では、センサブロックとマグネットブロックとを、引き違い窓の一方と他方に取り付けて、窓の開閉動作時における両者の接離動作に応じて、センサブロックより開、閉信号を出力するようにした、防犯用磁気近接センサおいて、マグネットブロックは、窓の開閉方向に沿って長い寸法の第１のマグネット部材と、それそれが異なる寸法を有した、複数の第２のマグネット部材とを組み合わせて構成されており、第１のマグネット部材は窓に取り付けられ、第２のマグネット部材は、任意の寸法のものが、第１のマグネット部材の磁極とは異なる磁極を向かい合わせて磁着させることによって、第１のマグネット部材による磁界を部分的に打ち消して使用されるようにしている。
【０００９】
請求項３では、請求項１または２において、第１のマグネット部材は、複数のマグネット部材で構成され、窓の開閉方向に並べて取り付けられ、第２のマグネット部材は、複数の第１のマグネット部材のうちのいずれかまたは全部に取り付けることが可能であることを特徴とする。
【発明の効果】
【００１０】
請求項１に記載の防犯用磁気近接センサは、センサブロックに内蔵されたリードスイッチやホール素子などの感知素子に作用する第１のマグネット部材を、それらと対をなす第２のマグネット部材との間に作用する磁力を用いて選択的に貼着させることで、窓に取り付けた第１のマグネット部材の磁界を生かしたり、打ち消したりする構造なので、窓に取り付けた第１のマグネット部材に対する第２のマグネット部材の貼着を選択的に行うことで、センサブロックが開信号を出力する位置を容易に設定変更することができる。
【００１１】
特に、磁界を打ち消すためにマグネット部材を向かい合わせて磁着させているだけなので、両面テープなどを使うことなく、取り付け取り外しを簡単に行うことができる。
【００１２】
請求項２では、窓の開閉方向に連続した１つのマグネット部材に対して、このマグネット部材とは同じ磁極配置を有し、異なる長さ寸法を有した複数種類のマグネット部材を選択的に貼着することで請求項１と同様な作用、効果が奏される。また、第１と第２のマグネット部材が異なる長さなので、第１のマグネット部材の磁界を部分的に打ち消すような選択もすることができる。
【００１３】
請求項３では、第１のマグネット部材が複数部材で構成されているので、センサブロックが感知する磁界の幅を自由に選択することができる。
【発明を実施するための最良の形態】
【００１４】
以下に、本発明の実施の形態について、添付図面とともに説明する。
【実施例１】
【００１５】
図１は、本発明の防犯用磁気近接センサの基本構成と設置態様を説明するための図である。
【００１６】
（ａ）に示すように、防犯用磁気近接センサはリードスイッチＲを内蔵したセンサブロックＳとマグネットブロックｍとを含んで構成され、これらを引き違い窓の一方Ｗ１と他方Ｗ２に取り付けて、窓の開閉動作時における両者の接近または離脱動作に応じて、センサブロックＳより開、閉信号を出力するようにしたものである。
【００１７】
ここで、センサブロックＳは、接点を設け強磁性体で構成されたリードスイッチＲを内蔵している。なお、リードスイッチに代えてホール素子を内蔵してもよい。
【００１８】
また、マグネットブロックｍは、センサブロックＳに対して、同一の磁極配置を有した略同一寸法のマグネットを含んで構成された第１および第２のマグネット部材で構成されており、第１のマグネット部材Ｍａは窓面または窓枠に貼着され、第２のマグネット部材Ｍｂは、第１のマグネット部材Ｍａの磁極とは異なる磁極と向かい合わせて磁着させることによって、任意の対のマグネット部材について、磁界を打ち消して使用されるようにしている。以下には、窓に取り付ける第１のマグネット部材を「貼着マグネット」と記述し、もう一方の第２のマグネット部材を「磁着マグネット」と記述する。
【００１９】
図１の例では、３対のマグネット部材Ｍ（＃１）、Ｍ（＃２）、Ｍ（＃３）の、それぞれの貼着マグネットＭａが一方の窓Ｗ２の窓面に間隔を空けて貼着され、そのうち、センサブロックＳに近い側のＭ（＃１）、Ｍ（＃２）については磁着マグネットＭｂを取り付けず（図１（ａ））、最も遠い側のＭ（＃３）については磁着マグネットＭｂと貼着マグネットＭａとを異極対応させて磁着させている（以上、図１（ｂ）、（ｃ）参照）。
【００２０】
なお、貼着マグネットＭａは、予め裏面に粘着剤などの粘着層と剥離紙を貼り付けておき、剥離紙を剥がして貼り付けるようにすればよい。また、両面テープを用いてもよい。
【００２１】
図２はリードスイッチＲの動作説明図であり、（ａ）、（ｂ）は貼着マグネットＭａのみが取り付けられている場合の動作説明図であり、（ｃ）は貼着マグネットＭａに磁着マグネットＭｂを磁着させて取り付けている場合の動作説明図である。
【００２２】
貼着マグネットＭａのみが貼り付けられている場合は、センサブロックＳには貼着マグネットＭａによる磁界が作用するので、（ａ）のように貼着マグネットＭａとリードスイッチＲが近接しているときは、貼着マグネットＭａの磁界の影響を受けてリードスイッチＲの接点はオンするが、（ｂ）のように貼着マグネットＭａとリードスイッチＲが離れているときは、貼着マグネットＭａの磁界の影響を受けずリードスイッチＲはオフとなる。
【００２３】
この原理を利用して、防犯用磁気近接センサは窓の開、閉を検知して、窓が閉状態から開に変化したときに警報を出力するなどの防犯動作を実行することを可能としている。
【００２４】
ところが、（ｃ）に示すように、貼着マグネットＭａと磁着マグネットＭｂとを異極対応させて磁着させると、磁界は打ち消され、センサブロックＳには貼着マグネットＭａによる磁界が作用しないので、センサブロックＳが対をなしたマグネット部材と近接状態にあっても、リードスイッチＲの接点はオンしない。
【００２５】
このように、貼着マグネットＭａと磁着マグネットＭｂとの対をなすマグネット部材を複数準備し、その取り付け態様を変えて窓に取り付ければ、以下に示すような各種の検出を可能とすることができる。
【００２６】
図３は、本発明の防犯用磁気近接センサの実施例１の動作を説明するためのリードスイッチ動作遷移図である。
【００２７】
窓を開閉操作して移動させる場合、図３の（ａ）の状態から（ｂ）の状態までは、マグネット部材Ｍ（貼着マグネットＭａ）の磁界が作用するため、センサブロックＳはオン状態を継続するが、（ｃ）の状態まで窓が移動すれば、磁着マグネットＭｂにより貼着マグネットＭａの磁界が打ち消されるため、センサブロックＳには磁界が作用せず、リードスイッチＲがオフして、警報（窓開信号）を出力する。
【００２８】
上記（ａ）から（ｂ）までの状態を換気状態（窓が少し開いた状態）とし、（ｂ）の状態からさらに窓を開けたときに異常と判断させるように使用したい場合には、このようにマグネット部材Ｍを配置すればよい。つまり、磁着マグネットＭｂを窓面に、窓の開閉移動経路に沿って列状に貼着した任意の貼着マグネットＭａに重ねて磁着させれば、その位置にあるマグネット部材による磁界が打ち消されるので、そこの位置までセンサブロックＳが移動すれば、開信号を発信する。
【００２９】
このように、マグネットを磁着により重ね合わせるだけなので、窓の閉状態に換気状態を含めた幅（遊び）を持たせることができ、その幅を容易に変更することができる。
【００３０】
なお、この例では、複数の貼着マグネットＭａを間隙を隔てて列状に配置しているが、この間隙は、センサブロックがこの隙間に入ったときに、次の貼着マグネットＭａの磁界の作用が減殺されない程度であればよく、その間隙は貼着マグネットＭａの強度に応じて適宜定められる。
【００３１】
また、このように、複数対のマグネット部材について、対として異極対応させて使用するか、しないかを選択するだけで、開、閉信号の検出範囲を変えることができるので、利用者は窓面に対して複数の貼着マグネットＭａを予め貼り付けておけば、その後、もう一方のマグネットＭｂを取り付けるだけで容易に別の条件で利用することができる。
【００３２】
特に、磁界を消すためにマグネットを向かい合わせて磁着させているだけなので、両面テープなどを使うことなく簡単に設定変更することができる。また、本実施例のように、対をなすマグネットの磁極配置を同一にすれば、異なる磁極を向かい合わせて磁着させたときに、ぴったりと重ね合わせることができる。さらに、窓の外部から見た場合には、複数対のマグネット部材のうちのいずれが、磁界を失っているかどうかが不明であるため、侵入者によって取り付け態様を判断されるおそれはない。
【００３３】
本実施例では複数対のマグネット部材を示したが、一対であってもよい。その場合には、第２のマグネット部材により、磁界の全部を生かすか全部を打ち消すかの選択をすることができる。
【００３４】
図４は、マグネット部材の取り付け態様例を示した略図である。（ａ）は磁着マグネットＭｂにより磁界が打ち消されているマグネットはなく、閉状態の幅は広くなっており、（ｂ）、（ｃ）のように、センサブロックから遠い順序に磁着マグネットＭｂを取り付けると、窓の閉状態の幅を狭めることができる。なお、（ｃ）で示した×印は、貼着マグネットＭａを貼着しなければ、磁着マグネットＭｂの磁着が不要なものを示している。
【００３５】
以上に説明した防犯用磁気近接センサは、引き違い窓に取り付けるものとして規定しているが、引き違い戸に取り付けて使用してもよい。
【００３６】
図５は、マグネット部材の他例を示す図である。（ａ）に示すように、１つの貼着マグネットＭａは、表、裏面がＮ、Ｓ極である２つのマグネットＭａ１、Ｍａ２を、両面がＮ、Ｓ極となるように樹脂Ｐ等で貼り合せたものである。（ｂ）に示した断面図でもわかるように、マグネット部材Ｍａのいずれの面にも磁界が作用し、いずれかの面を窓面に貼り付けると、窓の開閉操作によりリードスイッチをオン／オフさせることが可能となる。
【００３７】
（ｃ）に示すように、２枚のマグネット部材Ｍａ、Ｍｂを同一方向に貼り合わせると、つまり異なる磁極を向かい合わせると、張り合わせ面は磁界が発生し、両者は磁着するが、磁着面に強力な磁界が発生しているため、それぞれの外面側の磁界は打ち消される。
【００３８】
したがって、この種のマグネット部材Ｍｃ、Ｍｄを対にして利用することにより、図１等で示したマグネット部材Ｍａ、Ｍｂと同様に、窓の開閉幅を容易に調整することができる。
【００３９】
図６には、本発明の防犯用磁気近接センサを利用した防犯システムの例を示している。
【００４０】
このシステムは、防犯用磁気近接センサのセンサブロックＳにはワイヤレス送信部１０が付加接続されており、センサブロックＳが動作検知信号を出力すれば、ワイヤレス防犯受信器２０は警報出力する構成になっている。
【実施例２】
【００４１】
図７は、本発明の防犯用磁気近接センサの実施例２の動作を説明するためのリードスイッチ動作遷移図である。
【００４２】
上記の実施例１では複数対のマグネット部材を使用したが、本実施例は、窓の開閉方向に沿って長い寸法の第１のマグネット部材（貼着マグネット）Ｍｃと、異なる寸法の第２のマグネット部材（磁着マグネット）Ｍｄとを組み合わせて、窓の閉状態の幅を調整できるようにしたものである。
【００４３】
なお、磁界発生によるリードスイッチＲのオンオフの動作原理については、実施例１と同様であるので説明を割愛する。
【００４４】
図７に示すように、窓を開閉操作して移動させる場合、（ａ）の状態から（ｂ）の状態までは、貼着マグネットＭｃの磁界が作用するため、センサブロックＳはオン状態を継続するが、（ｃ）の状態まで窓が移動すれば、磁着マグネットＭｄにより２つのマグネット部材が磁着している部分の磁界は打ち消されているため、センサブロックＳには磁界が作用せず、リードスイッチＲがオフして、警報（窓開信号）を出力する。
【００４５】
図８は、マグネット部材の取り付け態様例を示した略図である。（ａ）は貼着マグネットＭｃが磁着マグネットＭｄにより磁界が打ち消されている部分はなく、閉状態の幅は広くなっており、（ｂ）、（ｃ）、（ｄ）のように磁着マグネットＭｄを取り付けていくと、窓の閉状態の検知幅を狭めてゆくことができる。このように、長さの異なる複数種類の磁着用のマグネット部材を準備すれば、より簡単に調整することができる。なお、（ｄ）には、複数の磁着マグネットＭｄを組み合わせ磁着させた例を示している。
【図面の簡単な説明】
【００４６】
【図１】（ａ）は本発明の防犯用磁気近接センサの基本構成と取り付け概略を説明する図、（ｂ）、（ｃ）はマグネットブロックを構成するマグネット部材の説明図
【図２】（ａ）、（ｂ）は貼着マグネットに対するリードスイッチの動作説明図、（ｃ）は貼着マグネットに磁着マグネットを磁着させた場合の動作説明図
【図３】本発明の防犯用磁気近接センサの実施例１の動作を説明するためのリードスイッチ動作遷移図
【図４】実施例１におけるマグネット部材の取り付け態様例を示した略図
【図５】マグネット部材の別例の説明図
【図６】本発明の防犯用磁気近接センサ使用した防犯システム例の動作説明図
【図７】本発明の防犯用磁気近接センサの実施例２の動作を説明するためのリードスイッチ動作遷移図
【図８】実施例２におけるマグネット部材の取り付け態様例を示した略図
【符号の説明】
【００４７】
ｓ      センサブロック
Ｒ      リードスイッチ
ｍ      マグネットブロック
Ｍ      一対のマグネット部材
Ｍａ      貼着マグネット（第１のマグネット部材）
Ｍｂ      磁着マグネット（第２のマグネット部材）
Ｍｃ      貼着マグネット（第１のマグネット部材）
Ｍｄ      磁着マグネット（第２のマグネット部材）
【図１】
2005215718.tif 000003
【図２】
2005215718.tif 000004
【図３】
2005215718.tif 000005
【図４】
2005215718.tif 000006
【図５】
2005215718.tif 000007
【図６】
2005215718.tif 000008
【図７】
2005215718.tif 000009
【図８】
2005215718.tif 000010